(57)【要約】【課題】スイングラベルを包装容器等の商品（被着体）に貼着固定し取付けた状態でダンボールケース等に入れ一括包装にて製造、出荷できるようにするとともに、商品を店頭に並べて販売する段階で、自由に揺動する撓んだ状態にして展示販売できるようにした。【解決手段】透明第１ラベル基材11により形成されたラベル貼着固定部1と該固定部1から細長く延設したテープ状揺動アーム部2と該アーム部の先端に設けた広幅の揺動ヘッド部3とからなるテープ状揺動ラベル10と、不透明第２ラベル基材21と貼着剤層22により形成され且つ前記テープ状揺動ラベル10の揺動ヘッド部3面上に該貼着剤層22を介して貼着された隠蔽ラベル20とにより構成され、第１ラベル基材11の揺動ヘッド部3には切抜片11bが設けられ、テープ状揺動ラベルの他方面の全面に設けた粘着剤層面上のテープ状揺動アーム部と揺動ヘッド部の切抜片外側領域とに粘着抑止剤層13を設けた。【選択図】図１
2005157193.tif 000002
【特許請求の範囲】
【請求項１】
透明第１ラベル基材１１により形成されたラベル貼着固定部１と該固定部１から細長く延設したテープ状揺動アーム部２と該アーム部２の先端に設けた広幅の揺動ヘッド部３とからなるテープ状揺動ラベル１０と、不透明第２ラベル基材２１と貼着剤層２２により形成され且つ前記テープ状揺動ラベル１０の一方面の揺動ヘッド部３面上に該貼着剤層２２を介して貼着された隠蔽ラベル２０とにより構成され、前記透明第１ラベル基材１１の揺動ヘッド部３には切り抜き部１１ａによる切抜片１１ｂが設けられ、前記透明第１ラベル基材１１の揺動ヘッド部３と隠蔽ラベル２０との貼着内面側における切抜片１１ｂ領域内には正向き像の第１印刷層１５、該切抜片１１ｂ領域外には逆向き像の第２印刷層１６が形成され、前記テープ状揺動ラベル１０の他方面の全面に設けた粘着剤層１２面上には前記テープ状揺動アーム部２領域と揺動ヘッド部３の切抜片１１ｂ外側領域とに粘着抑止剤層１３が設けられていることを特徴とするスイングラベル。
【請求項２】
前記隠蔽ラベル２０の貼着剤層２２が、不透明第２ラベル基材２１の全面に設けられ、前記切抜片１１ｂ領域相当部の貼着剤層２２面上には貼着抑止剤層２３が設けられていることを特徴とする請求項１記載のスイングラベル。
【請求項３】
前記隠蔽ラベル２０の貼着剤層２２が、前記不透明第２ラベル基材２１における前記切抜片１１ｂ外側領域相当部に沿って環状に設けられていることを特徴とする請求項１又は２記載スイングラベル。
【請求項４】
前記隠蔽ラベル２０における不透明第２ラベル基材２１外面には、正向き像の第３印刷層２４が形成されていることを特徴とする請求項１乃至３のいずれか１項記載のスイングラベル。
【請求項５】
前記隠蔽ラベル２０の不透明第２ラベル基材２１が透明フィルム基材２１ａと隠蔽層２１ｂとの積層構成による基材であることを特徴とする請求項１乃至３のいずれか１項記載のスイングラベル。
【請求項６】
前記隠蔽ラベル２０の不透明第２ラベル基材２１が透明フィルム基材２１ａの表面に隠蔽層２１ｂを形成した積層構成による基材であり、該隠蔽層２１ｂ上に正向き像の第３印刷層２４が形成され、該透明フィルム基材２１ａと隠蔽層２１ｂとの間に逆向き像の第４印刷層２５が形成されていることを特徴とする請求項５記載のスイングラベル。
【請求項７】
前記隠蔽ラベル２０における不透明第２ラベル基材２１の裏面には、正向き像の第４印刷層２５が前記切抜片１１ｂの外側領域相当部又は／及び内側領域相当部に形成されていることを特徴とする請求項１乃至５のいずれか１項記載のスイングラベル。
【請求項８】
前記貼着剤層２２が、感圧接着性の粘着剤又は感熱接着性の接着剤により形成されていることを特徴とする請求項１乃至７のいずれか１項記載のスイングラベル。
【請求項９】
前記貼着固定部１領域又は／及びテープ状揺動アーム部２領域の透明第１ラベル基材１１の表面又は裏面側には隠蔽層１７が形成され、該第１ラベル基材１１の表面又は／及び裏面には前記隠蔽層１７を介在させた第５印刷層１８が形成されていることを特徴とする請求項１乃至８のいずれか１項記載のスイングラベル。
【発明の詳細な説明】
【技術分野】
【０００１】
本発明は、飲料等の液体包装用プラスチックボトルやガラス瓶をはじめとする各種包装容器、特に施蓋キャップ付きの包装容器等に貼着して使用する揺動可能な商品ラベルであって、アイキャッチラベルとして使用可能なスイングラベルに関する。
【背景技術】
【０００２】
従来から、撓み性のある細長いラベル基材の一端部に貼着用の粘着剤層を設け、そのラベル基材の表面に任意のラベル印刷を施した揺動可能なスイングラベルがあり、そのラベルの一端部の粘着剤層を被着体の包装容器等に貼り付けて取付け使用するものであり、このスイングラベルは、細長いテープ状揺動アーム部と、そのアーム部の一端部の貼着用の粘着剤層を備えたラベル貼着固定部と、その先端部の揺動ヘッド部からなる。
【０００３】
このスイングラベルは、一端のラベル貼着固定部を包装容器等の商品（被着体）に貼着することにより、テープ状揺動アーム部は、他端の揺動ヘッド部の荷重によって弓状に湾曲して撓み、揺動ヘッド部はテープ状揺動アーム部の撓みによって自由揺動（スイング動作）をするために、商品に取り付け固定されたラベルには、その商品の周囲の空気の揺らぎや振動によって、趣向のあるスイング動作が発生して、商品の表示、宣伝、広告効果、及び意匠性を高めるため、アイキャッチラベルやシールとして使用されている。
【０００４】
ところで、上記スイングラベルは、包装容器等の商品（被着体）に貼着固定して取付けた後の自由に揺動する撓んだ状態のテープ状揺動アーム部と、その先端の揺動ヘッド部とが、包装容器等の商品の本体から外側に食み出したり、また、商品（被着体）を製造、出荷の段階でダンボールケース等に一括して包装する際には、スイングラベル本体は細長く、撓み性や柔軟性があるものの、取付け後の自由に揺動するテープ状揺動アーム部及び揺動ヘッド部は折れ曲がり易く、スイングラベルを貼着固定した状態で出荷できず、商品を店頭に並べて販売する段階で、はじめて商品に貼着固定して取付けて使用する必要があった。
【特許文献１】特開平９−１６０４９８号公報
【発明の開示】
【発明が解決しようとする課題】
【０００５】
本発明の課題は、スイングラベルを包装容器等の商品（被着体）に貼着固定し、取付けた状態でダンボールケース等に入れ一括包装にて製造、出荷できるようにするとともに、商品を店頭に並べて販売する段階で、スイングラベルのテープ状揺動アーム部と、その先端の揺動ヘッド部を自由に揺動する撓んだ状態にして展示販売できるようにすることにある。
【課題を解決するための手段】
【０００６】
本発明の請求項１に係る発明は、透明第１ラベル基材１１により形成されたラベル貼着固定部１と該固定部１から細長く延設したテープ状揺動アーム部２と該アーム部２の先端に設けた広幅の揺動ヘッド部３とからなるテープ状揺動ラベル１０と、不透明第２ラベル基材２１と貼着剤層２２により形成され且つ前記テープ状揺動ラベル１０の一方面の揺動ヘッド部３面上に該貼着剤層２２を介して貼着された隠蔽ラベル２０とにより構成され、前記透明第１ラベル基材１１の揺動ヘッド部３には切り抜き部１１ａによる切抜片１１ｂが設けられ、前記透明第１ラベル基材１１の揺動ヘッド部３と隠蔽ラベル２０との貼着内面側における切抜片１１ｂ領域内には正向き像の第１印刷層１５、該切抜片１１ｂ領域外
には逆向き像の第２印刷層１６が形成され、前記テープ状揺動ラベル１０の他方面の全面に設けた粘着剤層１２面上には前記テープ状揺動アーム部２領域と揺動ヘッド部３の切抜片１１ｂ外側領域とに粘着抑止剤層１３が設けられていることを特徴とするスイングラベルである。
【０００７】
本発明の請求項２に係る発明は、上記請求項１に係るスイングラベルにおいて、前記隠蔽ラベル２０の貼着剤層２２が、不透明第２ラベル基材２１の全面に設けられ、前記切抜片１１ｂ領域相当部の貼着剤層２２面上には貼着抑止剤層２３が設けられていることを特徴とするスイングラベルである。
【０００８】
本発明の請求項３に係る発明は、上記請求項１又は２に係るスイングラベルにおいて、前記隠蔽ラベル２０の貼着剤層２２が、前記不透明第２ラベル基材２１における前記切抜片１１ｂ外側領域相当部に沿って環状に設けられていることを特徴とするスイングラベルである。
【０００９】
本発明の請求項４に係る発明は、上記請求項１乃至３のいずれか１項に係るスイングラベルにおいて、前記隠蔽ラベル２０における不透明第２ラベル基材２１外面には、正向き像の第３印刷層２４が形成されていることを特徴とするスイングラベルである。
【００１０】
本発明の請求項５に係る発明は、上記請求項１乃至３のいずれか１項に係るスイングラベルにおいて、前記隠蔽ラベル２０の不透明第２ラベル基材２１が、透明フィルム基材２１ａと隠蔽層２１ｂとの積層構成による基材であることを特徴とするスイングラベルである。
【００１１】
本発明の請求項６に係る発明は、上記請求項５に係るスイングラベルにおいて、前記隠蔽ラベル２０の不透明第２ラベル基材２１が透明フィルム基材２１ａの表面に隠蔽層２１ｂを形成した積層構成による基材であり、該隠蔽層２１ｂ上に正向き像の第３印刷層２４が形成され、該透明フィルム基材２１ａと隠蔽層２１ｂとの間に逆向き像の第４印刷層２５が形成されていることを特徴とするスイングラベルである。
【００１２】
本発明の請求項７に係る発明は、上記請求項１乃至５のいずれか１項に係るスイングラベルにおいて、前記隠蔽ラベル２０における不透明第２ラベル基材２１の裏面には、正向き像の第４印刷層２５が前記切抜片１１ｂの外側領域相当部又は／及び内側領域相当部に形成されていることを特徴とするスイングラベルである。
【００１３】
本発明の請求項８に係る発明は、上記請求項１乃至７のいずれか１項に係るスイングラベルにおいて、前記貼着剤層２２が、感圧接着性の粘着剤又は感熱接着性の接着剤により形成されていることを特徴とするスイングラベルである。
【００１４】
本発明の請求項９に係る発明は、上記請求項１乃至８のいずれか１項に係るスイングラベルにおいて、前記貼着固定部１領域又は／及びテープ状揺動アーム部２領域の透明第１ラベル基材１１の表面又は裏面側には隠蔽層１７が形成され、該第１ラベル基材１１の表面又は／及び裏面には前記隠蔽層１７を介在させた第５印刷層１８が形成されていることを特徴とするスイングラベルである。
【発明の効果】
【００１５】
本発明のスイングラベルＡは、図１（ａ）〜（ｂ）、図２〜図４に示すように、透明第１ラベル基材１１により形成されたラベル貼着固定部１と、該固定部１から細長く延設したテープ状揺動アーム部２と、該アーム部２の先端に設けた広幅の揺動ヘッド部３とからなるテープ状揺動ラベル１０と、不透明第２ラベル基材２１と貼着剤層２２により形成さ
れ且つ前記テープ状揺動ラベル１０の揺動ヘッド部３の第１ラベル基材１１面上に、該貼着剤層２２を介して貼着された隠蔽ラベル２０とにより構成されている。
【００１６】
また、前記透明第１ラベル基材１１の揺動ヘッド部３には、切り抜き部１１ａによる切抜片１１ｂが設けられている。
【００１７】
また、本発明のスイングラベルＡは、図１〜図３に示すように、前記透明第１ラベル基材１１の揺動ヘッド部３と隠蔽ラベル２０との貼着内面側における切抜片１１ｂ領域内には正向き像の第１印刷層１５が形成され、該切抜片１１ｂ領域外には逆向き像の第２印刷層１６が形成されている。
【００１８】
また、本発明のスイングラベルＡは、図３、図４に示すように、前記透明第１ラベル基材１１の揺動ヘッド部３と隠蔽ラベル２０との貼着内面側における切抜片１１ｂ領域内には正向き像の第１印刷層１５が形成され、該隠蔽ラベル２０の不透明第１ラベル基材２１側には、該切抜片１１ｂ領域相当部内又は該切抜片１１ｂ領域相当部内外の不透明第１ラベル基材２１側に正向き像の第３印刷層２５が形成されている。
【００１９】
また、前記テープ状揺動ラベル１０の他方面の全面には粘着剤層１２が設けられ、該粘着剤層１２面上には、前記テープ状揺動アーム部２領域と揺動ヘッド部３の切抜片１１ｂ外側領域とに粘着抑止剤層１３が設けられている。また、粘着剤層１２面及び粘着抑止剤層１３面上、又は粘着抑止剤層１３の形成されていない粘着剤層１２面上には、剥離シート１４（紙基材又は樹脂フィルム基材の片面に粘着剤層１２に対して易剥離性のシリコーン樹脂、パラフィン樹脂などの離型剤層をコーティングしたシート）が易剥離可能に仮貼着されている。
【００２０】
上記のスイングラベルＡの一端のラベル貼着固定部１の裏面と、他端の揺動ヘッド部３の裏面の切抜片１１ｂ内側領域に粘着剤層１２が露呈しており、スイングラベルＡは、その両端の粘着剤層１２、１２により、包装容器等の商品（被着体）に貼着固定して取付けることができる。
【００２１】
上記のスイングラベルＡを包装容器等の商品（被着体）に貼着固定して取付ける取付け方は、本発明においては特に限定されるものではないが、例えば、図５（ａ）に示すようにスイングラベルＡの一端のラベル貼着固定部１を、ボトル容器など包装容器等の商品（被着体）Ｂの胴面又は側面又は肩面（キャップ部以外の部分）に粘着剤層１２にて貼着固定し、他端の揺動ヘッド部３を、包装容器等の商品（被着体）Ｂのキャップ部Ｃの天面部分に切抜片１１ｂ領域（粘着抑止剤層１３が形成されていない領域）内の粘着剤層１２にて貼着固定することができる。
【００２２】
また、他の取付け方としては、スイングラベルＡの一端のラベル貼着固定部１を、上記同様にボトル容器など包装容器等の商品（被着体）Ｂの胴面又は側面又は肩面（キャップ部以外の部分）に粘着剤層１２にて貼着固定し、他端の揺動ヘッド部３を、包装容器等の商品（被着体）Ｂのキャップ部Ｃを挟んで反対側の胴面又は側面又は肩面（キャップ部以外の部分）に粘着剤層１２にて貼着固定することができる。スイングラベルＡのテープ状揺動アーム部２は、その裏面に粘着抑止剤層１３が形成されているので、包装容器等の商品（被着体）Ｂ本体や手指や他の物品等に対して非貼着状態を保持できるものである。
【００２３】
このように、本発明のスイングラベルＡは、その両端のラベル貼着固定部１と揺動ヘッド部３とをテープ状揺動アーム部２領域を除いて包装容器等の商品（被着体）Ｂやキャップ部Ｃに貼着固定することができ、スイングラベルＡのテープ状揺動アーム部２と、その先端の揺動ヘッド部３とを自由に揺動する撓んだ状態にせずに、スイングラベルＡの両端
部を包装容器等の商品（被着体）Ｂに包装容器等の商品Ｂの本体から外側に食み出さずに貼着固定できるので、スイングラベルＡのテープ状揺動アーム部２や揺動ヘッド部３の折れ曲がりや変形を回避でき、スイングラベルＡを取り付けた状態の商品（被着体）Ｂを、単体乃至複数体にてダンボールケース等に収納する際に、ケースとスイングラベルＡとの接触や、隣接する各々包装容器等の商品ＢのスイングラベルＡ同士の接触によるテープ状揺動アーム部２や揺動ヘッド部３の折れ曲がりや変形の発生を回避して、一括包装にて製造、出荷することができる。
【００２４】
また、本発明のスイングラベルＡの揺動ヘッド部３には、切り抜き部１１ａによる切抜片１１ｂが設けられているので、スイングラベルＡをその両端部にて取り付けた包装容器等の商品（被着体）を、店頭に並べて販売する段階では、商品（被着体）Ｂのキャップ部Ｃに貼着している揺動ヘッド部３を、図５（ｂ）〜図６に示すように、商品（被着体）Ｂあるいはキャップ部Ｃ側にその切抜片１１ｂを残して剥離して、自由に揺動する撓んだ状態のテープ状揺動アーム部２と、その先端の揺動ヘッド部３とによる自由に揺動する撓んだ状態のスイングラベルとして展示販売することができる。
【００２５】
また、図５（ａ）に示すように、スイングラベルＡの貼着固定部１、テープ状揺動アーム部２、揺動ヘッド部３の各領域からなるテープ状揺動ラベル１０を構成する透明第１ラベル基材１１の表面又は／及び裏面には、該透明第１ラベル基材１１の表面又は／及び裏面から観察可能な、包装容器等の商品（被着体）Ｂに関する情報を表示した各ラベル印刷層が形成されており、また、テープ状揺動ラベル１０の揺動ヘッド部３上に貼着した隠蔽ラベル２０の不透明第２ラベル基材２１の表面又は／及び裏面には、該第２ラベル基材２１の表面又は／及び裏面から観察可能な、包装容器等の商品（被着体）Ｂに関する商品キャンペーン情報や応募情報や抽選情報を表示した各ラベル印刷層が形成されており、図５（ａ）のようにスイングラベルＡを、その両端部を包装容器等の商品（被着体）Ｂに貼着して揺動動作しない固定した状態において、また、該スイングラベルＡの他端の揺動ヘッド部３を商品（被着体）Ｂから剥離して、スイングラベルＡを自由に揺動動作させた状態において、そのスイングラベルＡの表面又は裏面からは、各ラベル印刷層に表示された包装容器等の商品（被着体）Ｂに関する商品情報や、商品キャンペーン情報、応募情報、抽選情報等を観察できる。
【００２６】
また、スイングラベルＡの他端の揺動ヘッド部３を商品（被着体）Ｂから剥離して商品（被着体）Ｂ側に貼着して残存する切抜片１１ｂの表面には、第１印刷層１５による包装容器等の商品（被着体）Ｂに関する商品情報や、商品キャンペーン情報、応募情報、抽選情報等を観察でき、また、上記切抜片１１ｂは応募用のキャンペーンシール、あるいは抽選用のシールとして使用することも可能である。
【発明を実施するための最良の形態】
【００２７】
本発明のスイングラベルＡの実施の形態を以下に詳細に説明すれば、図１（ａ）の平面図及び図１（ｂ）の側断面図に示すように、透明第１ラベル基材１１により形成されたラベル貼着固定部１と、該固定部１から細長く延設したテープ状揺動アーム部２と、該アーム部２の先端に設けた広幅の揺動ヘッド部３とからなるテープ状揺動ラベル１０を備えている。
【００２８】
前記テープ状揺動ラベル１０の他方面の全面には粘着剤層１２が設けられ、該粘着剤層１２面上には、前記テープ状揺動アーム部２領域と揺動ヘッド部３の切抜片１１ｂ外側領域とに粘着抑止剤層１３が、全面ベタ状に、又は適宜パターン状（例えば、網点（ドット）状、線（ストライプ）状など）に設けられている。なお、使用する粘着抑止剤としてはＵＶ（紫外線）照射にて硬化するＵＶ硬化型の剥離ニス又は溶剤揮散乾燥型の剥離ニスが使用でき、配合組成物としては、例えば、モノマー；アクリル酸エステル、プレポリマー
；ポリエステル樹脂、剥離剤；シリコーン樹脂、光開始剤；ベンゾフェノン等がある。
【００２９】
また、粘着剤層１２面及び粘着抑止剤層１３面上、又は粘着抑止剤層１３の形成されていない粘着剤層１２面上には、剥離シート１４（紙基材又は樹脂フィルム基材の片面に粘着剤層１２に対して易剥離性のシリコーン樹脂、パラフィン樹脂などの離型剤層をコーティングしたシート）が易剥離可能に仮貼着されている。
【００３０】
なお、図１（ａ）の平面図に示すスイングラベルＡのテープ状揺動ラベル１０の全体平面形状は、特に、図示する形状に限定されるものではなく、本発明のスイングラベルの構成、作用、効果を逸脱しない範囲で、適宜に形状変更が可能である。
【００３１】
該テープ状揺動ラベル１０の揺動ヘッド部３領域の透明第１ラベル基材１１上には、不透明第２ラベル基材２１と貼着剤層２２により形成された隠蔽ラベル２０が、該貼着剤層２２を介して貼着されている。隠蔽ラベル２０の貼着剤層２２としては、感圧接着性の粘着剤又は感熱接着性の接着剤が使用される。
【００３２】
第１ラベル基材１１の揺動ヘッド部３には、切り抜き部１１ａによる切抜片１１ｂが設けられ、前記透明第１ラベル基材１１の揺動ヘッド部３と、隠蔽ラベル２０との貼着内面側における切抜片１１ｂ領域内には、正向き像の第１印刷層１５が形成されている。
【００３３】
また、該切抜片１１ｂ領域外には、逆向き像の第２印刷層１６が形成され、前記テープ状揺動ラベル１０の他方面の全面に設けた粘着剤層１２面上には、前記テープ状揺動アーム部２領域と、揺動ヘッド部３の切抜片１１ｂの外側領域とに、粘着抑止剤層１３が設けられている。
【００３４】
また、本発明のスイングラベルＡは、図１（ａ）の平面図及び図１（ｂ）の側断面図、及び図２に示すように、前記隠蔽ラベル２０の貼着剤層２２が不透明第２ラベル基材２１の裏面全面に設けられ、前記切抜片１１ｂ領域相当部の貼着剤層２２面上には貼着抑止剤層２３が設けられているものである。
【００３５】
また、本発明のスイングラベルＡは、図３、図４の側断面図に示すように、前記隠蔽ラベル２０の貼着剤層２２が、前記不透明第２ラベル基材２１における前記切抜片１１ｂ外側領域相当部に沿って環状に設けられているものである。
【００３６】
また、本発明のスイングラベルＡは、図１（ｂ）、図３、図４の側断面図に示すように、前記隠蔽ラベル２０における不透明第２ラベル基材２１外面に、正向き像の第３印刷層２４が形成されているものである。
【００３７】
また、本発明のスイングラベルＡは、図２の側断面図に示すように、前記隠蔽ラベル２０の不透明第２ラベル基材２１が、透明フィルム基材２１ａと隠蔽層２１ｂとの積層構成による基材であり、例えば、前記隠蔽ラベル２０の不透明第２ラベル基材２１が、透明フィルム基材２１ａの表面に隠蔽層２１ｂを形成した積層構成による基材であって、該隠蔽層２１ｂ上には、正向き像の第３印刷層２４が形成され、該透明フィルム基材２１ａと隠蔽層２１ｂとの間には逆向き像の第４印刷層２５が形成されているものである。
【００３８】
なお、隠蔽層２１ｂは、隠蔽性のある印刷インキを用いて、通常のグラビア印刷方式、凹版印刷方式、凸版印刷方式、オフセット印刷方式、スリクーン印刷方式、フレキソ印刷方式、あるいは隠蔽性のあるコーティング液を用いて、通常のグラビアコーティング、ロールコーティング方式等にて形成することができる。
【００３９】
また、本発明のスイングラベルＡは、図３、図４の側断面図に示すように、前記隠蔽ラベル２０における不透明第２ラベル基材２１の裏面に、正向き像の第４印刷層２５が、切抜片１１ｂの外側領域相当部又は／及び内側領域相当部に形成されているものである。
【００４０】
本発明のスイングラベルＡの隠蔽ラベル２０の裏面に形成された貼着剤層２２は、感圧接着性の粘着剤をコーティングして形成してもよいし、感熱接着性の接着剤をコーティングして形成してもよい。
【００４１】
本発明のスイングラベルＡにおいては、図１（ｂ）に示すように、スイングラベルＡの貼着固定部１領域、又は／及び、テープ状揺動アーム部２領域の透明第１ラベル基材１１の表面又は裏面側のいずれか一方面に隠蔽層１７を形成し、該第１ラベル基材１１の表面又は／及び裏面には、前記隠蔽層１７を介在させた第５印刷層１８を形成してもよい。
【００４２】
例えば、図１（ｂ）に示すように、スイングラベルＡの貼着固定部１領域及びテープ状揺動アーム部２領域の透明第１ラベル基材１１の裏面に隠蔽層１７を形成し、その隠蔽層１７上に第５印刷層１８を形成するものである。
【００４３】
本発明において、上記第１印刷層１５、第２印刷層１６、第３印刷層２４、第４印刷層２５、第５印刷層１８は、それぞれ通常のグラビア印刷方式、凹版印刷方式、凸版印刷方式、オフセット印刷方式、スリクーン印刷方式、フレキソ印刷方式、あるいは静電印刷方式、レーザープリンター方式などデジタル印字方式にて形成することができ、デジタル印字方式であれば、可変データ（例えば、抽選情報、当たり、はずれ）等を印字することができる。
【００４４】
なお、隠蔽層１７は、隠蔽性のある印刷インキを用いて、通常のグラビア印刷方式、凹版印刷方式、凸版印刷方式、オフセット印刷方式、スリクーン印刷方式、フレキソ印刷方式、あるいは隠蔽性のあるコーティング液を用いて、通常のグラビアコーティング方式、ロールコーティング方式等にて形成することができる。
【００４５】
本発明のスイングラベルＡは、図１（ａ）〜（ｂ）、図２〜図４に示すように、透明第１ラベル基材１１により形成されたラベル貼着固定部１と、該固定部１から細長く延設したテープ状揺動アーム部２と、該アーム部２の先端に設けた広幅の揺動ヘッド部３とからなるテープ状揺動ラベル１０と、不透明第２ラベル基材２１と貼着剤層２２により形成され且つ前記テープ状揺動ラベル１０の揺動ヘッド部３の第１ラベル基材１１面上に、該貼着剤層２２を介して貼着された隠蔽ラベル２０とにより構成されているものである。
【００４６】
前記透明第１ラベル基材１１の揺動ヘッド部３には、切り抜き部１１ａによる切抜片１１ｂが設けられ、図１〜図３に示すように、前記透明第１ラベル基材１１の揺動ヘッド部３と隠蔽ラベル２０との貼着内面側における切抜片１１ｂ領域内には、正向き像の第１印刷層１５が形成され、該切抜片１１ｂ領域外には逆向き像の第２印刷層１６が形成されている。
【００４７】
図３、図４に示すように、前記透明第１ラベル基材１１の揺動ヘッド部３と隠蔽ラベル２０との貼着内面側における切抜片１１ｂ領域内には、正向き像の第１印刷層１５が形成され、該隠蔽ラベル２０の不透明第１ラベル基材２１側には、該切抜片１１ｂ領域相当部内、又は該切抜片１１ｂ領域相当部内外の不透明第１ラベル基材２１側に正向き像の第３印刷層２５が形成されているものである。
【００４８】
前記テープ状揺動ラベル１０の他方面の全面には粘着剤層１２が設けられ、該粘着剤層１２面上には、前記テープ状揺動アーム部２領域と揺動ヘッド部３の切抜片１１ｂ外側領
域とに粘着抑止剤層１３が設けられており、上記のスイングラベルＡの一端のラベル貼着固定部１の裏面と、他端の揺動ヘッド部３の裏面の切抜片１１ｂ内側領域に、粘着剤層１２が露呈しており、スイングラベルＡは、そのテープ状揺動アーム部２両端のラベル貼着固定部１と揺動ヘッド部３の粘着剤層１２、１２により、包装容器等の商品（被着体）に貼着固定して取付けることができるものである。
【００４９】
上記のスイングラベルＡを包装容器等の商品（被着体）に貼着固定して取付ける取付け方としては、本発明においては特に限定されるものではないが、下記のようにして取り付けることができる。
【００５０】
例えば、図５（ａ）に示すように、スイングラベルＡの一端のラベル貼着固定部１を、ボトル容器など包装容器等の商品（被着体）Ｂの胴面又は側面又は肩面（キャップ部以外の部分）に粘着剤層１２にて貼着固定する。そして、他端の揺動ヘッド部３を、包装容器等の商品（被着体）Ｂのキャップ部Ｃの天面部分に切抜片１１ｂ領域（粘着抑止剤層１３が形成されていない領域）内の粘着剤層１２にて貼着固定することができる。
【００５１】
また、他の取付け方としては、スイングラベルＡの一端のラベル貼着固定部１を、上記同様にボトル容器など包装容器等の商品（被着体）Ｂの胴面又は側面又は肩面（キャップ部以外の部分）に粘着剤層１２にて貼着固定する。そして、他端の揺動ヘッド部３を、包装容器等の商品（被着体）Ｂのキャップ部Ｃを挟んで反対側の胴面又は側面又は肩面（キャップ部以外の部分）に粘着剤層１２にて貼着固定（図示せず）することができる。
【００５２】
スイングラベルＡのテープ状揺動アーム部２は、その裏面に粘着抑止剤層１３が形成されているので、包装容器等の商品（被着体）Ｂ本体や、手指、他の物品等に対して、非貼着状態を保持できる。
【００５３】
本発明のスイングラベルＡは、その両端のラベル貼着固定部１と揺動ヘッド部３とをテープ状揺動アーム部２領域を除いて包装容器等の商品（被着体）Ｂやキャップ部Ｃに貼着固定することができ、スイングラベルＡのテープ状揺動アーム部２と、その先端の揺動ヘッド部３とを自由に揺動する撓んだ状態にせずに、スイングラベルＡの両端部を包装容器等の商品（被着体）Ｂに包装容器等の商品Ｂの本体から外側に食み出さずに貼着固定でき、そのためにスイングラベルＡのテープ状揺動アーム部２や揺動ヘッド部３の折れ曲がりや変形を回避でき、スイングラベルＡを取り付けた状態の商品（被着体）Ｂを、単体乃至複数体にてダンボールケース等に収納する際には、ケースとスイングラベルＡとの接触や隣接する各々包装容器等の商品ＢのスイングラベルＡ同士の接触によるテープ状揺動アーム部２や揺動ヘッド部３の折れ曲がりや変形の発生を回避でき、商品（被着体）Ｂを、スイングラベルＡを取り付けた状態で一括包装にて収納包装して出荷することができる。
【００５４】
そして、本発明のスイングラベルＡの揺動ヘッド部３には、切り抜き部１１ａによる切抜片１１ｂが設けられているので、スイングラベルＡをその両端部にて取り付けた包装容器等の商品（被着体）を店頭に並べて販売する段階では、商品（被着体）Ｂのキャップ部Ｃに貼着している揺動ヘッド部３を、図５（ｂ）〜図６に示すように、商品（被着体）Ｂあるいはキャップ部Ｃ側にその切抜片１１ｂを残して剥離し、スイングラベルＡの揺動ヘッド部３から切抜片１１ｂを除去した後、自由に揺動する撓んだ状態のテープ状揺動アーム部２と、その先端の揺動ヘッド部３とによる自由に揺動する撓んだ状態のスイングラベルＡとして展示し、陳列販売に供するものである。
【００５５】
図５（ａ）に示すように、スイングラベルＡの貼着固定部１、テープ状揺動アーム部２、揺動ヘッド部３の各領域からなるテープ状揺動ラベル１０を構成する透明第１ラベル基材１１の表面又は／及び裏面には、該透明第１ラベル基材１１の表面又は／及び裏面から
観察可能な包装容器等の商品（被着体）Ｂに関する情報を表示した各ラベル印刷層が形成されている。
【００５６】
また、テープ状揺動ラベル１０の揺動ヘッド部３上に貼着した隠蔽ラベル２０の不透明第２ラベル基材２１の表面又は／及び裏面には、該第２ラベル基材２１の表面又は／及び裏面から観察可能な包装容器等の商品（被着体）Ｂに関する商品キャンペーン情報や応募情報や抽選情報を表示した各ラベル印刷層が形成されている。
【００５７】
図５（ａ）のように、スイングラベルＡを、その両端部を包装容器等の商品（被着体）Ｂに貼着して揺動動作しない固定した状態において、また、該スイングラベルＡの他端の揺動ヘッド部３を商品（被着体）Ｂから剥離して、スイングラベルＡを自由に揺動動作させた状態において、そのスイングラベルＡの表面又は裏面からは、各ラベル印刷層に表示された包装容器等の商品（被着体）Ｂに関する商品情報や、商品キャンペーン情報、応募情報、抽選情報等を観察することができる。
【００５８】
また、スイングラベルＡの他端の揺動ヘッド部３を商品（被着体）Ｂから剥離して商品（被着体）Ｂ側に貼着残存する切抜片１１ｂの表面には、第１印刷層１５などによる包装容器等の商品（被着体）Ｂに関する商品情報や、商品キャンペーン情報、応募情報、抽選情報等を観察でき、上記切抜片１１ｂは、例えば、応募用のキャンペーンシール、あるいは抽選用のシールとして使用することが可能となる。
【図面の簡単な説明】
【００５９】
【図１】（ａ）は本発明のスイングラベルＡの一実施の形態を説明する全体平面図、（ｂ）はその側断面図。
【図２】本発明のスイングラベルＡの他の実施の形態を説明する側断面図。
【図３】本発明のスイングラベルＡのその他の実施の形態を説明する側断面図。
【図４】本発明のスイングラベルＡのその他の実施の形態を説明する側断面図。
【図５】（ａ）は本発明のスイングラベルＡの両端を包装容器等の商品（被着体）Ｂに貼着固定した状態を説明する全体斜視図、（ｂ）は本発明のスイングラベルＡの揺動ヘッド部を包装容器等の商品（被着体）Ｂから剥離して揺動運動可能にさせた状態を説明する全体斜視図。
【図６】本発明のスイングラベルＡの揺動ヘッド部から切抜片１１ｂを包装容器等の商品（被着体）Ｂ側に切り離した状態を説明する側断面図。
【符号の説明】
【００６０】
Ａ…スイングラベル  Ｂ…包装容器等の商品（被着体）  Ｃ…キャップ部
１…貼着固定部  ２…テープ状揺動アーム部  ３…揺動ヘッド部
１０…テープ状揺動ラベル  １１…第１ラベル基材  １１ａ…切込部  １１ｂ…切込片
１２…粘着剤層  １３…粘着力抑制剤層  １４…剥離シート  １５…第１印刷層
１６…第２印刷層  １７…隠蔽層  １８…第５印刷層
２１…第２ラベル基材  ２１ａ…透明フィルム基材  ２１ｂ…隠蔽層  ２２…貼着剤層
２３…粘着力抑制剤層  ２４…第３印刷層  ２５…第４印刷層
【図１】
2005157193.tif 000003
【図２】
2005157193.tif 000004
【図３】
2005157193.tif 000005
【図４】
2005157193.tif 000006
【図５】
2005157193.tif 000007
【図６】
2005157193.tif 000008
【手続補正書】
【提出日】平成15年12月9日(2003.12.9)
【手続補正１】
【補正対象書類名】図面
【補正対象項目名】全図
【補正方法】変更
【補正の内容】
【図１】
2005157193.tif 000009
【図２】
2005157193.tif 000010
【図３】
2005157193.tif 000011
【図４】
2005157193.tif 000012
【図５】
2005157193.tif 000013
【図６】
2005157193.tif 000014